(57)【要約】【課題】  画像データを取込んで高品質の画像をプリンタに直接出力でき、且つ操作性のよい印刷画像選択等を実現す画像選択方式およびダイレクトプリントアダプタの提供。【解決手段】  選択画像表示手段１０６はビデオモニタにデジタルカメラからの複数のサムネイル画像を整列させて表示する。カーソル手段１０７はビデオモニタの画面内で自在に移動可能にカーソルを表示しその位置（座標）を得る。画像選択手段１０８はカーソルを停止させた位置にある画像を印刷出力画像候補とし、確認入力があると選択画像として、それに対応する高解像度の画像をデジタルカメラからメモリーに取込み、ビデオモニタに表示する。インデックス付与手段１０９は表示された画像にインデックスを付し、画像とインデックスを対応させたテーブルを作成する。【選択図】図３
2007037165.tif 000002
【特許請求の範囲】
【請求項１】
メモリーに取込んだ複数の画像データを表示装置の画面内に所定の大きさでｍ×ｎに整列させて表示し、カーソルを停止させた位置に表示されている画像を選択画像候補とする画像選択方式であって、
表示装置の画面内でカーソルを自在に移動可能とし、
画像データを表示している場合に、カーソルがまだ画像の表示されていない位置に移動し停止したときは、カーソルの現在位置に表示すべき画像を表示してから、前後に向って遡及して画像を表示する共に、カーソルの停止位置に表示されている画像を選択画像候補とすることを特徴とする画像選択方式。
【請求項２】
表示装置の画面内に所定の大きさでｍ×ｎに整列された各画像にインデックスを付し、画像とインデックスを対応させて記憶し、選択された画像をインデックスを指定して選択することを特徴とする画像選択方式。
【請求項３】
少なくとも、プリンタ、デジタルカメラおよびビデオ機器を接続可能であって、ビデオ機器から入力する映像信号をデジタルデータに変換する映像信号処理部と、データ処理部と、画像データから映像信号を復元してビデオモニタに表示する表示処理部と、入出力制御部からの切換制御信号によりデータ転送方向を切換えるデータ転送方向切換部と、入出力制御部と、データ処理部に対し指示信号を与える指示信号入力部と、を備え、
ビデオモードでは映像信号処理部からの１フレーム分の映像データを画像データとしてメモリーに取込み、デジタルカメラモードではデジタルカメラのメモリーに格納されている画像データを受信してメモリーに取込み、メモリーに取込まれた画像データを色変換してカラー印刷データとして出力するダイレクトプリントアダプタであって、
ａ：メモリーに取込んだ複数の画像データをビデオモニタに所定の大きさでｍ×ｎに整列させて表示する選択画像表示手段と、
ｂ：カーソルを停止させた位置にある画像を選択画像候補とする画像選択手段と、
ｃ：画像選択確認手段と、
ｄ：ビデオモニタの画面内で自在に移動可能に構成されたカーソルと、
を有し、
デジタルカメラモードで、画像データをビデオモニタの画面に表示している場合に、カーソルを未だ画像の表示されていない位置に移動し停止させたときは、カーソルの現在位置に表示すべき画像を表示してから、前後に向って遡及して画像を表示し、カーソルの停止位置に表示されている画像を印刷出力画像候補とすることを特徴とするダイレクトプリンタアダプタ。
【請求項４】
請求項３に記載のダイレクトプリンタアダプタにおいて、更に、ビデオモニタの画面内に整列された各画像にインデックスを付すインデックス付与手段と、画像とインデックスを対応させたテーブルとを備え、
画像選択手段が選択する画像をインデックスを指定して選択すること、を特徴とするダイレクトプリンタアダプタ。
【請求項５】
請求項４に記載のダイレクトプリンタアダプタにおいて、選択された画像に対応する印刷用データをプリンタに送る際に、該画像データにインデックスを付与してプリンタに送出することを特徴とするダイレクトプリンタアダプタ。
【発明の詳細な説明】
【技術分野】
【０００１】
本発明はビデオやテレビからの映像信号入力或いはデジタルカメラやメモリーカード等の記憶媒体からのデジタル画像信号を入力してプリンタに直接出力するために用いることが可能な画像の表示及び選択技術に関する。
【背景技術】
【０００２】
ビデオ映像やデジタルカメラで撮影した結果を印刷出力するために、パーソナルコンピュータを用いて映像信号を画像信号に変換してモニターに表示し所望の画像を選んで印刷出力する方法が近年用いられている。
【０００３】
この方法は、デジタルカメラが画像記録に固定メモリーを用いたタイプの場合はデジタルカメラの出力端子とパーソナルコンピュータの入力信号端子をシリアルケーブルで接続し、画像信号（画像データ）をＲＳ２３２Ｃ等のインターフェイスを介してパーソナルコンピュータに取込み、カラー印刷出力処理を行なうものであり、デジタルカメラが画像記録にメモリーカードを使うタイプの場合にはメモリーカードをパーソナルコンピュータに接続されたメモリーカードリーダー（読取り装置）で読取ることによりパーソナルコンピュータに取込んでから上述のカラー印刷出力処理を行なっている。
【発明の開示】
【発明が解決しようとする課題】
【０００４】
パーソナルコンピュータを用いて映像や撮影結果をカラー印刷する場合にはパーソナルコンピュータ自体の汎用性のため画像（または映像）印刷処理以外の多くのアプリケーションプログラムを備えているのが通常であり、これらのアプリケーションプログラムや画像印刷処理に必要な色変換モジュール（例えば、プリンタドライバ）はＷｉｎｄｏｗｓやＭＳーＤＯＳ（いずれもマイクロソフト社のパーソナルコンピュータ用ＯＳの商品名）等のＯＳの管理下で動作する。
【０００５】
従って、画像印刷処理を行なう場合には、使用者はＯＳで規定されたコマンド入力操作を行なって印刷処理アプリケーションプログラムおよび色変換モジュール等をそれらが格納されている格納装置（例えば、磁気ディスク）からパーソナルコンピュータの内部メモリーに取込んで、実行可能状態にする必要があるが、コマンド入力や印刷処理アプリケーションプログラムおよび色変換モジュールの取込に時間（いわゆる、オーバーヘッドタイム）を要し、オーバーヘッドタイムは短くても数分間を要し、起動に時間がかかるという問題点があった。
【０００６】
また、印刷画像を選択する際にはモニターにインデックス画像を表示し、先頭画像からからカーソルで順次追従させて所望の画像位置でカーソルを停止させ、確認入力を行なってからプリンタに出力しているので、仮に、所望の画像が最後にあることが分かっていても、カーソルを順に最後まで追従させる必要があり、画像の選択に時間がかかりすぎるという問題点もあった。
【０００７】
デジタルカメラが今後普及し一般家庭で通常用いられるようになるためには、撮影結果（写真）の印刷処理時の操作の簡易化とオーバーヘッドタイムをほぼゼロとし電源スイッチオンで処理動作が起動される携帯可能なビデオ装置およびデジタルカメラとプリンタに接続可能なアダプタの開発の要請があり、しかも、一般家庭での利用にあたってはこのような単なるアダプタ本来の機能向上といった課題ばかりでなく、印刷画像の選択のしやすさといった使用者サイドに立った課題の解決も要請されている。
【０００８】
本発明は上記従来の問題点の解消および要請の実現のためになされたものであり、操作性のよい画像選択等を実現し得る技術の提供を目的とする。
【課題を解決するための手段】
【０００９】
上記の目的を達成するために本発明の画像選択方式は、メモリーに取込んだ複数の画像データを表示装置の画面内に所定の大きさでｍ×ｎに整列させて表示し、カーソルを停止させた位置に表示されている画像を選択画像候補とする画像選択方式であって、表示装置の画面内でカーソルを自在に移動可能とし、画像データを表示している場合に、カーソルがまだ画像の表示されていない位置に移動し停止したときは、カーソルの現在位置に表示すべき画像を表示してから、前後に向って遡及して画像を表示する共に、カーソルの停止位置に表示されている画像を選択画像候補とすることを特徴とする。
【００１０】
なお、好ましい実施例では、表示装置の画面内に所定の大きさでｍ×ｎに整列された各画像にインデックスを付し、画像とインデックスを対応させて記憶し、選択された画像をインデックスを指定して選択する。
【００１１】
また、本発明のダイレクトプリントアダプタは少なくとも、プリンタ、デジタルカメラおよびビデオ機器を接続可能で、ビデオ機器から入力する映像信号をデジタルデータに変換する映像信号処理部と、データ処理部と、画像データから映像信号を復元してビデオモニタに表示する表示処理部と、入出力制御部からの切換制御信号によりデータ転送方向を切換えるデータ転送方向切換部と、入出力制御部と、データ処理部に対し指示信号を与える指示信号入力部と、を備え、
ビデオモードでは映像信号処理部からの１フレーム分の映像データを画像データとしてメモリーに取込み、デジタルカメラモードではデジタルカメラのメモリーに格納されている画像データを受信してメモリーに取込み、メモリーに取込まれた画像データを色変換してカラー印刷データとして出力するダイレクトプリントアダプタであって、ａ：メモリーに取込んだ複数の画像データをビデオモニタに所定の大きさでｍ×ｎに整列させて表示する選択画像表示手段と、ｂ：カーソルを停止させた位置にある画像を選択画像候補とする画像選択手段と、ｃ：画像選択確認手段と、ｄ：ビデオモニタの画面内で自在に移動可能に構成されたカーソルと、を有し、デジタルカメラモードで、画像データをビデオモニタの画面に表示している場合に、カーソルを未だ画像の表示されていない位置に移動し停止させたときは、カーソルの現在位置に表示すべき画像を表示してから、前後に向って遡及して画像を表示し、カーソルの停止位置に表示されている画像を印刷出力画像候補とすることを特徴とする。
【００１２】
なお、好ましい実施例では、ビデオモニタの画面内に整列された各画像にインデックスを付すインデックス付与手段と、画像とインデックスを対応させたテーブルとを備え、画像選択手段が選択画像をインデックスを指定して選択する。また、この場合、選択された画像に対応する印刷用データをプリンタに送る際に、該画像データにインデックスを付与してプリンタに送出するよう構成することが望ましい。
【発明を実施するための最良の形態】
【００１３】
図１は本発明のダイレクトプリントアダプタの構成図であり、ダイレクトプリントアダプタ（以下、アダプタ本体と記す）１０は、映像信号処理部１１、データ転送方向切換部１２、入出力制御部１３、データ処理部１４、表示処理部１５、操作部１７、および図示しないシリアルインターフェイス、パラレルインターフェイスと電源部から構成されている（更に、メモリーカードインターフェイスを設けてもよい）。
【００１４】
また、アダプタ本体１０には入力機器として、ビデオ機器３１，３２、デジタルカメラ４０が、出力機器としてビデオモニタ５０およびプリンタ６０がケーブルを介して接続可能であり、電源補充用にＡ／Ｃアダプタ７０が接続する。
【００１５】
なお、ここでいうビデオ機器はデジタルＶＣＲ、ＴＶゲーム機、ＶＴＲ、ＶＣＲ等のビデオ信号出力可能な機器をいう。また、接続するプリンタ６０はカラー印刷可能なプリンタであり、高品質なカラー画像の再現印刷が可能な濃・淡カラープリンタであることが望ましい。
【００１６】
アダプタ本体１０は、デジタルカメラ４０からの画像データのメモリー１４２（図２）への取込，画像選択および選択画像のプリンタへの出力等を行なうデジタルカメラモード（図６（ｂ））とビデオ機器３１，３２からの映像データのメモリー１４２への取込およびプリンタ６０への出力を行なうビデオモード（図６（ｃ））を有しており、モード選択画面（図６（ａ））上で操作パネル９０の設定スイッチ８４の操作により選択できる。
【００１７】
映像信号処理部１１は、コンポジットビデオ機器３１およびＳビデオ機器３２からの映像信号を入力しフロントエンドを経て、クロマ信号についてＵ信号（ＲーＹ）とＶ信号（ＢーＹ）の２つの色差信号に変換するとともに、輝度信号Ｙから複合同期信号を分離し、これらＹ，Ｕ，Ｖ信号をＡ／Ｄ変換してデジタル信号とする。なお、入力映像信号がコンポジットビデオ機器３１の出力（すなわち、コンポジット信号）の場合は輝度信号Ｙとクロマ信号に分離したあと色差信号に変換以降の処理が施される。映像信号処理部１１は、また、上述の複合同期信号と入出力制御部１３からのタイミング信号に基づいてドットロックを生成し、入出力制御部１３に帰還させる。
【００１８】
データ転送方向切換部１２は、映像系（以下、ビデオ機器３１または３２、映像信号処理部１１を含む系をいう）の出力である映像データをデジタルデータ処理部１４（図５）のメモリー１４２に取込む場合やメモリー１４２の信号を表示系（以下、表示処理部１５およびビデオモニタ５０を含む系をいう）に与える場合に必要な信号方向の切換え、および映像系のタイミングとデジタルデータ処理部１４のＣＰＵ１４１のサイクルタイムが異なることから両者の時間差を吸収しタイミングを一致させるために設けられている。
【００１９】
データ転送方向切換部１２は、映像系から１フレーム分の映像データをメモリー１４２に取込む場合には映像信号処理部１１でＡ／Ｄ変換されたデジタル信号（すなわち、映像データ）を一旦データ転送方向切換部１２内に取込み、入出力制御部１３からのタイミング信号により取込んだ映像データをデジタルデータ処理部１４の方向に流れるように転送方向を切換える。これにより、映像データはデジタルデータ処理部１４のメモリー１４２にＤＭＡ転送され、メモリー１４２に画像データとして取込まれる。
【００２０】
また、データ転送方向切換部１２は、メモリー１４２から１フレーム分の画像データ（デジタルカメラ４０で作成されるＹ，Ｕ，Ｖ形式の画像データ（デジタルデータ）をいう、以下同じ）やメニューデータおよびカーソル或いは表示枠のような選択位置データ等を表示処理部１５に転送する場合には、メモリー１４２からＤＭＡ転送される画像データをデータ転送方向切換部１２に一旦取込み、入出力制御部１３からのタイミング信号により取込んだ映像データを表示処理部１５の方向に流れるように転送方向を切換える。
【００２１】
入出力制御部１３は論理回路で構成され、映像信号処理部１１、データ転送方向切換部１２および表示処理部１５に対して与えるタイミング信号（同期信号）を生成すると共にＤＭＡ転送のタイミングを生成しＣＰＵ１４１に与える。また、プリンタ６０に対するデジタルデータ処理部１４からの印刷用出力データ等の出力制御を行なう。
【００２２】
デジタルデータ処理部１４は、図２に示すように、ＭＰＵで構成されＣＰＵ１４１のデータバスに接続するメモリー１４２およびＰＲＯＭ１４３から構成されている。
【００２３】
デジタルデータ処理部１４は操作部１７からの指示信号或いは入出力制御部１３からの信号を受けて、データ転送方向切換部１２を介しての映像系画像データのメモリー１４２への取込、メモリー１４２に格納されている画像データ及びメニューデータのデータ転送方向切換部１２を介しての表示系への転送、シリアルインターフェイス１４５或いはメモリーカードインターフェイス１４６を介してのデジタルカメラ４０からの画像データの取込および伸張処理やデジタルカメラ４０に対する設定条件の設定／変更、メモリー１４２に格納されている画像データをカラー印刷用データに変換するための色変換処理、入出力制御部１３の制御に基づく色変換処理後の印刷用データのパラレルインターフェイス１４５を介してのプリンタへ６０の転送、操作部１７からの操作信号入力に基づく表示制御、処理モードの指定に基づくメニュー画面、設定画面、警告画面等の表示制御等を行なう。
【００２４】
メモリー１４２はＣＰＵ１４１のＤＭＡによりアクセスされ、映像系の画像データまたはデジタルカメラ４０からの画像データの取込または読み出しが行なわれ、さらに、メニューデータや操作部１７からの操作入力信号および設定データが格納され、また、色変換処理用の作業領域等としても用いられる。
【００２５】
ＰＲＯＭ１４３にはデータ処理モジュール１００（図３）、メニューデータ等および初期データ等が格納されている。
【００２６】
表示処理部１５は、データ転送方向切換部１２からの画像データ（Ｙ’，Ｕ’，Ｖ’（デジタル信号））を輝度信号Ｙと色差信号Ｕ，Ｖ（アナログ信号）に変換し、合成回路で輝度信号Ｙと複合同期信号を合成すると共にＵ，Ｖ信号を合成してクロマ信号を得てＳビデオ用信号を得る。なお、コンポジットビデオ用入力端子を持つビデオモニタ５０用には、更に、輝度信号Ｙと複合同期信号とクロマ信号を合成してコンポジットビデオ用信号を出力するように構成する。  
【００２７】
表示処理部１５は上記構成により得られたＳビデオ信号またはコンポジットビ
デオ信号をビデオモニタ５０に出力する。
【００２８】
操作部１７は図５に示すような操作パネル９０から操作信号を受取り、指示信号（デジタル信号）に変換してデジタルデータ処理部１４に与える。
【００２９】
操作信号としては、例えば、操作パネル９０の設定スイッチ８４の押し下げによるメニュー画面起動／選択信号、設定内容変更スイッチ８５の操作による設定変更信号、印刷スイッチ８７の押し下げによる印刷開始／終了指示信号、表示切換えスイッチ８８の押し下げによるモニタ画面の表示切換え指示信号、メモリースイッチ８９の押し下げによりメモリー１４２に映像を取込む指示信号等がある。
【００３０】
なお、デジタルデータ処理部１４は操作部１７に対して操作指示に対する応答信号を送り、操作パネル上に表示させることができる（例えば、操作パネル９０を例にすると、ＬＥＤ８３の点灯による操作エラー表示や、ＬＥＤ８６の点灯による印刷可能表示等）。
【００３１】
デジタルカメラ４０の撮影結果はカメラの固定メモリー或いはメモリーカードのような取外し可能なメモリーに輝度Ｙ，色差信号Ｕ，Ｖからなるデジタル画像データとして記憶されている。なお、デジタルカメラ４０で得られた画像データは通常メモリー容量を節約するため圧縮されているが、このような場合にはデジタルデータ処理部１４は受け取った圧縮データに伸張処理を施して復元し、メモリー１４２の画像データ用領域に格納する。
【００３２】
ビデオモニタ５０は、表示処理部１５からの画像データ、モード選択画面（図６）、画像選択画面（図７）、メニューデータおよび画面上へのカーソル表示等を行なう。
【００３３】
プリンタ６０はアダプタ本体１０からの各データを受信して印刷処理を行なう。  プリンタ６０への出力制御は入出力制御部１３で行なわれる。入出力制御部１３はデジタルデータ処理部１４からのビットマップデータおよび描画制御データのパラレルインターフェイスを介してのプリンタ６０への送信タイミングを制御する。
【００３４】
電源部（図示せず）は電源がオンにされると、ＡＣアダプタ７０から電源の供給を受け、そこから電源をアダプタ本体１０の各回路に供給する。
【００３５】
＜データ処理モジュール＞
図３はデジタルデータ処理部１４による処理を実行するためのデータ処理モジュールの構成を示すブロック図であり、データ処理モジュール１００を構成する各プログラムはＰＲＯＭ１４３に格納されている。なお、本実施の形態ではデータ処理モジュール１００をプログラム群で構成しているがファームウエアとして構成してもよい。
【００３６】
図３で、データ処理モジュール１００は、制御プログラム１０１、選択画像表示手段１０６を含む画面表示プログラム１０２、処理選択プログラム１０３、カーソル制御手段１０７，画像選択手段１０８およびインデックス付与手段１０９を含む処理プログラム群１０４および印刷用データ処理モジュール１０５を有している。
【００３７】
制御プログラム１０１は操作部１７からの指示信号を受取り、アダプタ本体１０が指示信号に対応する動作を行なうように制御信号を入出力制御部１３やメモリー１４２に送り、また、ＰＲＯＭ１４３からその実行に必要なプログラムを取り出してＣＰＵ１４１による実行および制御を可能とする。
【００３８】
画面表示プログラム１０２は、ビデオモニタ５０上に表示するモード選択画面（図６（ａ））、デジタルカメラモード処理選択画面（図６（ｂ））、ビデオモード処理選択画面（図６（ｃ））や画像選択画面（図７（ａ））等や、各メニューおよび表示パネル９０のボタン操作で表示切換した各画面をメモリー１４２から取り出してＤＭＡ転送命令要求をＣＰＵ１５１に渡す。
【００３９】
画面表示プログラム１０２は、メモリー１４２に取込んだ複数の画像データ（例えば、インデックス画像）をビデオモニタ５０にｍ×ｎに整列させて表示する選択画像表示手段１０６を含んでいる。
【００４０】
また、選択画像表示手段１０６はデジタルカメラモードで、画像データをビデオモニタ５０の画面に表示している場合に、カーソルが未だ画像の表示されていない位置に移動し停止した場合はカーソルの現在位置に表示すべき画像を表示してから、前後に向って遡及して画像を表示する。
【００４１】
処理選択プログラム１０３は、各画面上のメニューに指定された選択情報或いはカーソルや表示枠などの選択位置情報があった場合に、メニューの意味を判定し、判定結果を制御プログラム１０１に引渡す。
【００４２】
デジタルカメラモードで実行可能な処理は、
（１）  印刷用紙サイズや種類等の条件を設定する印刷条件設定処理、
（２）  デジタルカメラ側の条件を設定或いは変更するデジタルカメラ条件設定処理、
（３）  サムネイル（ベタ焼印刷）や焼増し印刷等のデジタルカメラ特殊印刷条件設定処理、
（４）  ビデオモードへの移行、
であり、使用者は図６（ｂ）のメニューを見ながら操作パネル９０の設定スイッチ８４を押して項目を選択し、キー８５のアイコン［＞］を押して選択項目実行の確認を行なうと、画面表示プログラム１０２により対応のメニュー画面が表示されるので、使用者は更に表示されたメニュー画面のメニューを見て操作パネル９０上のスイッチを操作することにより、所望の処理を選択して実行することができる。なお、上記（１），（２），（３）の処理の実行にはそれぞれ対応の処理プログラムが備えられている。また、（４）の処理については処理選択プログラム１０３で行なう。
【００４３】
処理選択プログラム１０３は、図６（ｃ）のビデオモードの設定メニュー画面に表示されているような処理の選択を行なうことができる。ビデオモードで実行可能な処理は、
（１）  印刷用紙サイズや種類等の条件を設定する印刷条件設定処理、
（２）  映像取込範囲の設定、種類等の設定、
（３）  デジタルカメラモードへの移行、
であり、使用者は図６（ｃ）のメニューを見ながら操作パネル９０の設定スイッチ８４を押して項目を選択し、キー８５のアイコン［＞］を押して選択項目実行の確認を行なうと、画面表示プログラム１０２により対応のメニュー画面が表示され、使用者は更に表示されたメニュー画面のメニューを見て操作パネル９０上のスイッチを操作することにより、所望の処理を選択して実行することができる。なお、上記（１），（２）の処理の実行にはそれぞれ対応の処理プログラムが備えられている。また、（３）については処理選択プログラム１０３で行なう。
【００４４】
処理プログラム群１０４は各選択メニューで選択された処理の実行に必要な手順からなる処理プログラムであり、選択された処理に対応して備えられており、  ビデオモニタ５０の画面内で自在に移動可能にカーソルを表示しその位置（座標）を得るカーソル手段１０７と、カーソルを停止させた位置にある画像を印刷出力画像候補とする画像選択手段１０８と、ビデオモニタ５０の画面内に整列された各画像にインデックスを付し、画像とインデックスを対応させたテーブルを作成するインデックス付与手段１０９を含んでいる。
【００４５】
また、インデックス付与手段１０９は選択された画像に対応する印刷用データをプリンタ６０に送る際に、該画像データにインデックスを付与してプリンタに送出する。
【００４６】
印刷用データ処理モジュール１０５は、デジタルカメラから取込まれた圧縮画像データを伸張するデータ伸張プログラム、画素補間プログラムおよび色変換処理を行なうプリンタドライバから構成されており、メモリー１４２に取込まれた画像データを印刷用データに変換して出力する。
【実施例】
【００４７】
アダプタ本体１０の一実施例について以下により説明する。
【００４８】
アダプタ本体１０は操作パネル基板、メイン基板、およびＡＣアダプタを幅２４０〜２５０ｍｍ，高さ５０ｍｍ，奥行１４０〜１６０ｍｍ程度の外形の箱型筐体に収容してなり、筐体の上面前部には図５に示すような操作パネル９０が設けられ、筐体後部には端子部（図示せず）が設けられている。
【００４９】
操作パネル９０には電源が投入された場合に点灯する電源表示ＬＥＤ８１，アダプタ本体１０の電源投入スイッチ８２，エラー表示ＬＥＤ８３，ビデオ画面を用いて諸設定を行なうメニュー画面を起動するためのメニュー画面起動用スイッチ８４，メニュー画面での設定内容変更スイッチ８５，印刷表示ＬＥＤ８６，印刷スイッチ８７，ビデオモニタ５０に表示する画像をモードによって切換える表示切換スイッチ８８およびメモリー１４２に画像データを取込むためのメモリースイッチ８９等が設けられている。
【００５０】
また、端子部にはプリンタ用出力端子、デジタルカメラ用入力出力端子、コンポジットビデオモニタ用出力端子、コンポジットビデオ用入力端子、Ｓビデオ用入力端子、電源入力端子等が備えられている。
【００５１】
＜画像選択動作＞
図４はアダプタ本体１０によるデジタルカメラモードでの画像選択動作を示すフローチャートである。
【００５２】
アダプタ本体１０が起動されると画面表示プログラムが起動され、図６（ａ）に示すモード選択画面を表示して処理モードの選択を促す（ステップＳ１）。
【００５３】
操作パネル９０のアイコン［＞］が押されるとデジタルカメラモードとなり（ステップＳ２）、選択画像表示手段１０６によりメモリー１４２から画像データ（インデックス画像）が取り出されデータ転送方向切換部１２および表示処理部１５を介して画像としてビデオモニタ５０に図７（ａ）に示すような画像選択画面２００として表示される（ステップＳ３）。なお、ステップＳ２で操作パネル９０のキー８５のアイコン［＜］スイッチを押すとビデオモードに移行する。
【００５４】
デジタルカメラ４０に記憶されていた画像数が画像選択画面に表示可能な数を越した場合には、さらにアイコン［＞］スイッチを押して次のページの画面を参照できる。
【００５５】
使用者は表示されたサムネイル画像から所望の画像を指定するためにカーソルを移動させる。カーソルは太い枠で示され、アイコン［＞］、［＜］スイッチの操作により移動する。カーソルが現在位置している場所に表示されている画像が印刷のために選択される選択画像候補となる（ステップＳ４）。
【００５６】
カーソルが表示画面を追越した場合（例えば、画像の位置を知っているような場合におおよその見当でカーソルを移動したような場合）は、カーソル手段１０７はカーソルの停止している位置（座標）を選択画像表示手段１０６に与える（ステップＳ５）。
【００５７】
選択画像表示手段１０６はカーソル停止位置に表示される予定の画像を優先的に取り出してカーソル停止位置に表示すると共に、カーソル停止位置に近い前後の画像から逆に表示していく（ステップＳ６）。
【００５８】
カーソルが停止している場合、画像選択確認手段としてのメモリースイッチ８９を押すと（ステップＳ７）、画像が選択され、選択されたサムネイル画像（８０×６０ピクセル）に対応する高解像度の画像データ（６４０×４８０ピクセル）がデジタルカメラ４０からメモリー１４２に取込まれ、メモリー１４２からＤＭＡ転送されて、データ転送方向切換部１２、表示処理部１５を介して１フレーム分の画像としてビデオモニタ５０に表示される（ステップＳ８）。
【００５９】
印刷スイッチ８７を押すとデータ処理部１４での印刷前処理（プリンタドライバによる色変換処理等）を経て（ステップＳ９）、印刷データをプリンタ６０に送信され、印刷が開始される（ステップＳ１０）。
【００６０】
図４（ｂ）は画像にインデックスを付ける場合のフローチャートであり、図４（ａ）のステップＳ９とＳ１０の間にステップＳ８ー１〜Ｓ８ー４を設けて表示画像および印刷画像にインデックス（例えば、番号、記号、文字列等）付ける。
【００６１】
ステップＳ８ー１でインデックス付与手段１０８は選択されたサムネイル画像とそれに対応して読み込まれた画像にインデックスを付け（ステップＳ８ー１）ビデオモニタ５０に画像と共に表示し（ステップＳ８ー２：図７（ｂ））、対応テーブルを作成する（ステップＳ８ー３）。対応表にはインデックスおよび通し番号の他、索引として必要な情報が登録される。また、選択画像の印刷用データにもインデックスをつけ、印刷画像（写真）にインデックスを印刷するようにする（ステップＳ８ー４）。
【００６２】
これにより、インデックスを用いて表示画像の中から所望の画像を選択（検索）するよう構成することもできる。また、図７（ｃ）のサムネイル印刷メニューを用いてインデックスを付けたサムネイル画像を一括印刷し、事後の検索に用いることもできる。
【００６３】
以上本発明の一実施例について説明したが、本発明は上記実施例に限定されるものではなく、例えば、本発明の主要部である映像信号処理部１１、データ転送方向切換部１２、入出力制御部１３、デジタルデータ処理部１４、表示処理部１５、操作部１７や、シリアルインターフェイス、パラレルインターフェイス等を設けた基板をビデオ機器，プリンタ，ファクシミリ装置或いはデジタルカメラに組込んでもよく、その他種々の変形実施が可能であることはいうまでもない。
【００６４】
以上説明したように本発明の実施例によれば、データ転送方向切換部により映像系からメモリーへのデータの取込やメモリーから表示系へのデータ転送ができ制御が簡単である。また、電源オンで起動し、使用者はモニター画面に表示される案内メニューに従って選択或いは設定ができるので操作が簡単で起動に時間がかからないい。また操作が簡単なため特別な知識を要することなく、一般家庭でビデオ機器からの映像のカラープリントやデジタルカメラで撮影した撮影結果を簡単にプリンタで印刷できる。
【００６５】
更に、デジタルカメラの撮影結果を印刷して写真を得る場合にも、従来のように画面上で順をおってカーソルで追従する必要がなく、所望の画像を指定できるので、使用性能が向上した。また、インデックスを付与することが出来るので、受来に比べ参照や検索が便利になった。
【図面の簡単な説明】
【００６６】
【図１】本発明のダイレクトプリントアダプタの構成例を示すブロック図である。
【図２】デジタルデータ処理部の構成例を示すブロック図である。
【図３】データ処理モジュールの説明図である。
【図４】デジタルカメラモードでの画画像選択動作を示すフローチャートである。
【図５】操作パネルの一実施例を示す図である。
【図６】モード選択画面、デジタルカメラモード処理選択画面およびビデオモード処理選択画面の一実施例を示す図である。
【図７】画像選択画面の一実施例を示す図である。
【符号の説明】
【００６７】
１０  アダプタ本体（ダイレクトプリンタアダプタ）
１１  映像信号処理部
１２  データ転送方向切換部
１３  入出力制御部
１４  デジタルデータ処理部
１５  表示処理部
１７  操作部
９０  操作パネル
１００  データ処理モジュール
１０１  制御プログラム
１０２  画面表示プログラム
１０３  処理選択プログラム
１０４  処理プログラム
１０５  印刷用データ処理モジュール
１０６  選択画像表示手段
１０７  カーソル手段
１０８  画像選択手段
１０９  インデックス付与手段
１４１  ＣＰＵ
１４２  メモリー
１４３  ＰＲＯＭ
【図１】
2007037165.tif 000003
【図２】
2007037165.tif 000004
【図３】
2007037165.tif 000005
【図４】
2007037165.tif 000006
【図５】
2007037165.tif 000007
【図６】
2007037165.tif 000008
【図７】
2007037165.tif 000009
【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
画像表示装置の画面内に整列して表示される複数の画像の中から所望の画像を選択するための画像選択装置であって、
ユーザが操作するための操作部と、
前記操作部における操作に応じて前記画像表示装置の画面上でカーソルを移動させるカーソル制御手段と、
前記カーソルの移動に応じて前記画像表示装置の画面を更新する選択画像表示手段と、
前記カーソルを停止させた位置にある画像を選択画像候補とする画像選択手段と、
を備え、
前記カーソル制御手段は、前記カーソルを未だ画像の表示されていない複数の画像位置のうちの任意の位置に移動し停止させることが可能である、画像選択装置。
【請求項２】
請求項１記載の画像選択装置であって、
前記選択画像表示手段は、前記カーソルが未だ画像の表示されていない位置に移動し停止したときには、前記移動後のカーソル位置の画像が優先的に表示されるように前記画面の表示を更新する、画像選択装置。
【請求項３】
請求項２記載の画像選択装置であって、
前記選択画像表示手段は、前記カーソルが未だ画像の表示されていない位置に移動し停止したときには、前記移動後のカーソル位置の画像に表示すべき画像を表示してから、前後に向って画像を表示する、画像選択装置。
【請求項４】
請求項１ないし３のいずれかに記載の画像選択装置であって、
前記画像選択手段は、前記カーソルの停止位置に表示されている画像を印刷出力画像候補とする、画像選択装置。
【請求項５】
画像表示装置の画面内に整列して表示される複数の画像の中から所望の画像を選択するための画像選択方法であって、
（ａ）ユーザの操作に応じて前記画像表示装置の画面上でカーソルを移動させる工程と、
（ｂ）前記カーソルの移動に応じて前記画像表示装置の画面を更新する工程と、
（ｃ）前記カーソルを停止させた位置にある画像を選択画像候補とする工程と、
を備え、
前記工程（ａ）は、前記カーソルを未だ画像の表示されていない複数の画像位置のうちの任意の位置に移動し停止させる工程を含む、画像選択方法。
【請求項６】
請求項５記載の画像選択方法であって、
前記工程（ｂ）は、前記カーソルが未だ画像の表示されていない位置に移動し停止したときには、前記移動後のカーソル位置の画像が優先的に表示されるように前記画面の表示を更新する、画像選択方法。
【請求項７】
請求項６記載の画像選択方法であって、
前記工程（ｂ）は、前記カーソルが未だ画像の表示されていない位置に移動し停止したときには、前記移動後のカーソル位置の画像に表示すべき画像を表示してから、前後に向って画像を表示する、画像選択方法。
【請求項８】
請求項５ないし７のいずれかに記載の画像選択方法であって、
前記工程（ｃ）は、前記カーソルの停止位置に表示されている画像を印刷出力画像候補とする、画像選択方法。
【手続補正２】
【補正対象書類名】明細書
【補正対象項目名】０００９
【補正方法】変更
【補正の内容】
【０００９】
本発明による画像選択装置は、
画像表示装置の画面内に整列して表示される複数の画像の中から所望の画像を選択するための画像選択装置であって、
ユーザが操作するための操作部と、
前記操作部における操作に応じて前記画像表示装置の画面上でカーソルを移動させるカーソル制御手段と、
前記カーソルの移動に応じて前記画像表示装置の画面を更新する選択画像表示手段と、
前記カーソルを停止させた位置にある画像を選択画像候補とする画像選択手段と、
を備え、
前記カーソル制御手段は、前記カーソルを未だ画像の表示されていない複数の画像位置のうちの任意の位置に移動し停止させることが可能である。
移動し停止させることが可能である。
【手続補正３】
【補正対象書類名】明細書
【補正対象項目名】００１０
【補正方法】変更
【補正の内容】
【００１０】
前記選択画像表示手段は、前記カーソルが未だ画像の表示されていない位置に移動し停止したときには、前記移動後のカーソル位置の画像が優先的に表示されるように前記画面の表示を更新するようにしてもよい。
【手続補正４】
【補正対象書類名】明細書
【補正対象項目名】００１１
【補正方法】変更
【補正の内容】
【００１１】
前記選択画像表示手段は、前記カーソルが未だ画像の表示されていない位置に移動し停止したときには、前記移動後のカーソル位置の画像に表示すべき画像を表示してから、前後に向って画像を表示するようにしてもよい。
【手続補正５】
【補正対象書類名】明細書
【補正対象項目名】００１２
【補正方法】変更
【補正の内容】
【００１２】
前記画像選択手段は、前記カーソルの停止位置に表示されている画像を印刷出力画像候補とするようにしてもよい。